(57)【要約】【課題】絶縁性能を損なうことのない汎用性の高いバッテリーカバーを提供する。また、ガタ付きや異音の発生を防止することが可能なバッテリーカバーを提供する。【解決手段】前方側壁３４が初期位置から上方へ移動すると、この時、開閉軌跡８上に膨出壁７の一部が存在しないようになる。従って、第一カバー９の開閉の際に膨出壁７との干渉が避けられるようになる。また、前方側壁３４が初期位置から上方へ移動すると、この時、ロックアーム３６がヒューズユニット６の係止対象位置から外れる。従って、第一カバー９の開閉の際に係止突起が削れることはない。ロックアーム３６は、前方側壁３４が初期位置に戻ると、ヒューズユニット６の係止対象位置へと移動する。【選択図】図３
2011076993.tif 000002
【特許請求の範囲】
【請求項１】
バッテリーポストの位置で開閉可能な第一カバーと、ヒンジを介して前記第一カバーに連続する第二カバーとを含み、前記第一カバーは、該第一カバーを閉じた状態で保護対象部品の前方に位置する前方側壁を有するバッテリーカバーにおいて、
前記前方側壁を、この側壁高さ方向にスライド自在となるように形成する
ことを特徴とするバッテリーカバー。
【請求項２】
請求項１に記載のバッテリーカバーにおいて、
前記第一カバーと前記保護対象部品との係止及び係止解除を前記前方側壁のスライド移動に連動させて行えるように前記第一カバーを形成する
ことを特徴とするバッテリーカバー。
【請求項３】
請求項１又は請求項２に記載のバッテリーカバーにおいて、
前記第一カバーの上壁位置でスライド自在となるレバー部を更に含み、該レバー部と前記前方側壁とを断面略蛇腹形状の連結部で連結する
ことを特徴とするバッテリーカバー。
【発明の詳細な説明】
【技術分野】
【０００１】
本発明は、バッテリーポストに接続されるバッテリーターミナルやヒューズユニット等の保護対象部品を覆うバッテリーカバーに関する。
【背景技術】
【０００２】
自動車等の車両に搭載されるバッテリーは、この上面にバッテリーポストを有している。バッテリーポストには、各種負荷等にバッテリーからの電源を供給するために、複数の端子接続部を有するヒューズユニット（ヒュージブルリンクユニット）、若しくはバッテリーターミナルのみが接続されている。ヒューズユニットやバッテリーターミナルは、接続のために金属部分が剥き出しになることから、絶縁や防水や防塵のために樹脂製のバッテリーカバーにて覆われるのが一般的になっている。以下、従来のバッテリーカバーについて説明する（詳細に関しては下記特許文献１参照）。
【０００３】
図１１において、引用符号１０１はバッテリーを示している。このバッテリー１０１の上面１０２には、バッテリーポスト１０３が突設されている。引用符号１０４はバッテリーポスト１０３の周囲に設けられる膨出壁を示している。ここでのバッテリー１０１は、膨出壁１０４を有するタイプのものとなっている。バッテリーポスト１０３には、バッテリーターミナル１０５が接続されている。また、バッテリーターミナル１０５には、ヒューズユニット１０６が接続されている。ヒューズユニット１０６は、略Ｌ字状に形成されている。
【０００４】
バッテリーターミナル１０５及びヒューズユニット１０６を覆うバッテリーカバー１０７は、第一カバー１０８と、ヒンジ１０９を介して第一カバー１０８に連続する第二カバー１１０とを有している。第一カバー１０８は、バッテリーポスト１０３の上方位置で開閉可能に形成されている。第一カバー１０８は、この第一カバー１０８を閉じた状態でバッテリーターミナル１０５の前方に位置する前方側壁１１１を有している。
【０００５】
第一カバー１０８は、この開閉軌跡１１２が図示の如くであることから、前方側壁１１１が膨出壁１０４に干渉してしまうことになる。従って、前方側壁１１１には、干渉を回避するための逃げ部１１３が形成されている。逃げ部１１３は、バッテリー１０１の上面１０２からの高さが比較的大きくなるような寸法に切り欠き形成されている。
【０００６】
第一カバー１０８は、これを閉じた状態でヒューズユニット１０６に引っ掛かり係止されるロックアーム（図示省略）を有している。ロックアームは、この先端に係止突起（ロックビーク）を有している。
【先行技術文献】
【特許文献】
【０００７】
【特許文献１】特開２００２−２８９１７１号公報
【発明の概要】
【発明が解決しようとする課題】
【０００８】
ところで、上記バッテリーカバー１０７にあっては、前方側壁１１１に逃げ部１１３を有することから、次のような問題点を有している。すなわち、逃げ部１１３の分だけ開口が生じることから特にバッテリーターミナル１０５に対する絶縁性能を損なう虞があるという問題点を有している。
【０００９】
尚、この絶縁性能を損なう虞があるという問題点に関しては、バッテリー１０１の上面１０２に膨出壁１０４を形成しないタイプのバッテリーに対し、バッテリーカバー１０７を共用しようとする場合に顕著になる（膨出壁１０４が存在しないと露出が目立つ）のは言うまでもない。従って、従来のバッテリーカバー１０７は汎用性がないという問題点を有している。
【００１０】
この他、上記バッテリーカバー１０７にあっては、第一カバー１０８の開閉を繰り返すことにより図示しないロックアームの係止突起に削れが生じて第一カバー１０８がガタ付いてしまうという問題点や、ガタ付きに起因して異音が発生してしまうという問題点を有している。
【００１１】
本発明は、上記した事情に鑑みてなされたもので、絶縁性能を損なうことのない汎用性の高いバッテリーカバーを提供することを課題とする。また、ガタ付きや異音の発生を防止することが可能なバッテリーカバーを提供することを課題とする。
【課題を解決するための手段】
【００１２】
上記課題を解決するためになされた請求項１記載の本発明のバッテリーカバーは、バッテリーポストの位置で開閉可能な第一カバーと、ヒンジを介して前記第一カバーに連続する第二カバーとを含み、前記第一カバーは、該第一カバーを閉じた状態で保護対象部品の前方に位置する前方側壁を有するバッテリーカバーにおいて、前記前方側壁を、この側壁高さ方向にスライド自在となるように形成することを特徴とする。
【００１３】
このような特徴を有する本発明によれば、第一カバーの開閉にあたり前方側壁をスライド移動させる。前方側壁をスライド移動させた状態から第一カバーを閉じ、この後に前方側壁を初期位置に戻せば、第一カバーの開閉軌跡上にバッテリーの一部が存在する場合であっても干渉せず、また、絶縁性能を損なうこともない。本発明によれば、第一カバーの開閉軌跡上にバッテリーの一部が存在する場合、しない場合のいずれであっても使用することが可能なバッテリーカバーになる。
【００１４】
請求項２記載の本発明のバッテリーカバーは、請求項１に記載のバッテリーカバーにおいて、前記第一カバーと前記保護対象部品との係止及び係止解除を前記前方側壁のスライド移動に連動させて行えるように前記第一カバーを形成することを特徴とする。
【００１５】
このような特徴を有する本発明によれば、第一カバーと保護対象部品との係止及び係止解除を、ヒンジを支点とした第一カバーの開閉方向の移動で行うのではなく、前方側壁のスライド移動に連動した移動により行う。本発明によれば、第一カバーの開閉の繰り返しによる係止部分の削れを防止することが可能になる。
【００１６】
請求項３記載の本発明のバッテリーカバーは、請求項１又は請求項２に記載のバッテリーカバーにおいて、前記第一カバーの上壁位置でスライド自在となるレバー部を更に含み、該レバー部と前記前方側壁とを断面略蛇腹形状の連結部で連結することを特徴とする。
【００１７】
このような特徴を有する本発明によれば、第一カバーの上壁位置で前方側壁のスライド移動を操作する。すなわち、前方側壁のスライド移動をし易くすることが可能になる。また、本発明によれば、スライド移動の方向が異なる前方側壁とレバー部とを断面略蛇腹形状の連結部で連結することから、方向が異なっていてもレバー部のスライド移動に伴って前方側壁をスムーズにスライド移動させることが可能になる。
【発明の効果】
【００１８】
請求項１に記載された本発明によれば、絶縁性能を損なうことのない汎用性の高いバッテリーカバーを提供することができるという効果を奏する。
【００１９】
請求項２に記載された本発明によれば、係止部分の削れを防止することができるという効果を奏する。従って、ガタ付きや異音の発生を防止することができるという効果を奏する。
【００２０】
請求項３に記載された本発明によれば、前方側壁のスライド移動をし易くすることができるという効果を奏する。また、本発明によれば、前方側壁をスムーズにスライド移動させることができるという効果を奏する。
【図面の簡単な説明】
【００２１】
【図１】本発明のバッテリーカバーを示す斜視図である。
【図２】前方側壁をスライド移動させる前（初期位置にある時）の状態を示す断面図である。
【図３】前方側壁をスライド移動させた後の状態を示す断面図である。
【図４】バッテリーカバーの分解斜視図である。
【図５】バッテリーカバー本体の断面図（押さえ部を閉じた状態）である。
【図６】バッテリーカバー本体の断面図（押さえ部を開いた状態）である。
【図７】スライドカバーの図であり、（ａ）は上方から見た斜視図、（ｂ）はレバー部における摘み周辺の拡大図である。
【図８】スライドカバーの図であり、（ａ）は下方から見た斜視図、（ｂ）は側面図、（ｃ）は（ｂ）における連結部の拡大図である。
【図９】スライドカバーの組み付けに係る説明図である。
【図１０】スライドカバーのスライド移動に係る説明図である。
【図１１】従来例のバッテリーカバーの構成及び作用説明図である。
【発明を実施するための形態】
【００２２】
バッテリカバーは、第一カバーと第二カバーを含んで構成される。第一カバーは、この前方側壁が側壁高さ方向にスライド自在となるように形成される。
【実施例１】
【００２３】
以下、図面を参照しながら実施例を説明する。図１は本発明のバッテリーカバーを示す斜視図である。また、図２及び図３はバッテリーやヒューズユニット等を含むバッテリーカバーの断面図、図４はバッテリーカバーの分解斜視図である。また、図５及び図６はバッテリーカバー本体の断面図、図７及び図８はスライドカバーの図である。また、図９はスライドカバーの組み付けに係る説明図、図１０はスライドカバーのスライド移動に係る説明図である。
【００２４】
図１において、引用符号１は本発明のバッテリーカバーを示している。バッテリーカバー１は、絶縁性を有する合成樹脂製の成形品であって、図２及び図３に示す如く、バッテリー２の上面３に突出するバッテリーポスト４に接続されるバッテリーターミナル５と、このバッテリーターミナル５に接続されるヒューズユニット６とを、絶縁や防水や防塵のために覆うことができるように形成されている。また、バッテリーカバー１は、各種タイプのバッテリーに対応できるように形成されている。例えば、バッテリー２の上面３に膨出壁７を有する場合、バッテリーカバー１は、この一部をスライド移動させて、開閉軌跡８上に膨出壁７の一部が存在しないようにすることができるようになっている。言い換えれば、膨出壁７との干渉を避けることができるように形成されている。また、バッテリーカバー１は、上記干渉を避けることと、絶縁性能を確保することの両方を実現できるようにも形成されている。さらに、バッテリーカバー１は、後の説明で分かるようになるが、ガタ付きや異音の発生を防止することができるようにも形成されている。以下、バッテリーカバー１について説明する。
【００２５】
図１ないし図３において、バッテリーカバー１は、バッテリーポスト４の位置で開閉可能な第一カバー９と、この第一カバー９に対しヒンジ１０を介して連続する第二カバー１１とを含んで構成されている（見方を変えると、バッテリーカバー１は、バッテリーカバー本体１２と、スライドカバー１３とを含んで構成されている）。
【００２６】
図１及び図４において、第一カバー９は、バッテリーカバー本体１２を構成する第一カバー本体１４と、この第一カバー本体１４に対しスライド自在に組み付くスライドカバー１３とを含んで構成されている。第一カバー本体１４及び第二カバー１１は、第一カバー本体１４が水平方向に、また、第二カバー１１が垂直方向にのびるようなＬ字状に配置されている。これら第一カバー本体１４及び第二カバー１１は、バッテリーカバー本体１２を構成している。
【００２７】
図４ないし図６において、第一カバー９を構成する第一カバー本体１４は、ヒンジ１０に連続する上壁１５と、この上壁１５の左右両側部に連成される左方側壁１６及び右方側壁１７と、これら左方側壁１６及び右方側壁１７の前端に連続するスライドカバーガイド１８と、ヒンジ１９を介してスライドカバーガイド１８に連続し上壁１５の前端位置を覆うスライドカバー押さえ部２０とを有している。
【００２８】
上壁１５は、スライドカバー１３を操作する部分として開口する開口部２１を有している。開口部２１は、上壁１５の前端から中間までの範囲で大きく開口するように形成されている。上壁１５には、スライドカバー１３のスライド移動を規制するための突き当て部２２が形成されている。この突き当て部２２は、上壁１５の下面（内面）から突出するように形成されている。突き当て部２２は、ヒンジ１０の近傍に配置形成されている（上壁１５の上面（外面）を凹まして突き当て部２２が形成される。引用符号２３はその凹みを示している）。
【００２９】
左方側壁１６及び右方側壁１７は、これら各内面に係止部２４とガイド用水平リブ２５とを有している。係止部２４は、スライドカバー押さえ部２０を係止する部分であって、左方側壁１６及び右方側壁１７の各前端近傍位置に、また、左方側壁１６及び右方側壁１７の各基端位置に配置形成されている。ガイド用水平リブ２５は、スライドカバー１３を水平方向スライド自在にガイドするための部分であって、上壁１５の内面に平行に配置形成されている。また、スライドカバー１３の厚みに合わせた間隔を有するように配置形成されている。ガイド用水平リブ２５は、この端部２６が開口部２１の端部２７よりも前方に位置するように配置形成されている（スライドカバー１３の組み付け性に配慮するため（図９参照））。
【００３０】
スライドカバーガイド１８は、スライドカバー１３を垂直方向スライド自在にガイドするための部分であって、左方側壁１６及び右方側壁１７の各前端に連続するガイド外壁２８と、ガイド用水平リブ２５に連続するガイド用垂直リブ２９とを有している。ガイド外壁２８及びガイド用垂直リブ２９は、スライドカバー１３の厚みに合わせた間隔をあけて配置形成されている。
【００３１】
スライドカバー押さえ部２０は、上記の垂直方向及び水平方向にガイドされたスライドカバー１３の配置を規制するための部分であって、左右両側部には係止部２４に引っ掛かり係止される係止突起３０が形成されている。また、自由端内側には、スライドカバー１３を係止するための係止ロック（係止突起）３１が形成されている。係止ロック３１は、比較的小さな突起となるように形成されている。係止ロック３１は、ヒンジ１９を支点としてスライドカバー押さえ部２０を閉じると、スライドカバー１３にラップするような位置に配置形成されている。スライドカバー押さえ部２０は、この端部３２がスライドカバー１３に対する突き当て部として形成されている。
【００３２】
図４、図７、及び図８において、スライドカバー１３は、第一カバー９を構成する部品であって、上壁１５の位置でスライド自在となり且つ開口部２１に露出して操作自在となるレバー部３３と、第一カバー９を閉じた状態でバッテリーターミナル５の前方に位置する前方側壁３４と、これらレバー部３３及び前方側壁３４を連結する連結部３５と、第一カバー９を閉じた状態でスライドカバー１３を操作するとヒューズユニット６に引っ掛かり係止されるロックアーム３６とを有している。スライドカバー１３は、連結部３５の位置で図４に示す如く屈曲するように形成されている。
【００３３】
レバー部３３は、スライドカバー１３の上面（外面）に突出する摘み部３７を有している。摘み部３７は、スライドカバー１３の操作の際に用いられる部分として形成されている。摘み部３７は、スライドカバー押さえ部２０の突き当て部（端部３２）に突き当たるように配置形成されている（突き当たりによってスライドカバー１３のスライド移動が規制されるようになる）。摘み部３７の基端部分近傍には、スライドカバー押さえ部２０の係止ロック３１に引っ掛かる初期位置係止ロック穴３８が形成されている。また、摘み部３７から離れる位置には、初期位置係止ロック穴３８と同様に係止ロック３１に引っ掛かるスライド位置係止ロック穴３９が形成されている。
【００３４】
前方側壁３４は、第一カバー９における前方位置の側壁として機能する部分であって、バッテリーターミナル５の前方部分を保護することができるように、また、前方部分を絶縁することができるように形成されている。前方側壁３４の外面には、複数の低背突条４０が形成されている。前方側壁３４は、第一カバー本体１４でなくスライドカバー１３に形成されることから、上下方向にスライド移動することができるようになっている。
【００３５】
連結部３５は、断面略蛇腹形状となるように形成されている（屈曲し易い形状であれば限定されないものとする。例えば薄板状に形成してもよいものとする）。スライド移動の方向が異なる前方側壁３４とレバー部３３とが断面略蛇腹形状の連結部３５で連結されることにより、前方側壁３４はレバー部３３のスライド移動に伴ってスムーズにスライド移動するようになっている。
【００３６】
尚、本形態においては、連結部３５の位置に初期位置係止ロック穴３８及びスライド位置係止ロック穴３９が配置形成されている。この配置は一例であるものとする。
【００３７】
ロックアーム３６は、レバー部３３の端部にアーム形成部４１を連続させることにより形成されている。ロックアーム３６は、アーム形成部４１から下方へのびるアームとして形成されている。ロックアーム３６の先端には、係止突起４２（ロックビーク）が形成されている。ロックアーム３６は、これ自体を撓ませてヒューズユニット６に係止されるのではなく、スライドカバー１３のスライド移動に伴ってヒューズユニット６の係止対象位置に移動し、そして係止状態を形成することができるようになっている。尚、ロックアーム３６に可撓性を持たせるか否かについては任意であるものとする。本形態においては、剛性を有する形状に形成されている。
【００３８】
図１ないし図４において、第二カバー１１は、ヒューズユニット６の形態及び形状に合わせて形成されている。尚、第二カバー１１の機能は従来同様であり詳細な説明を省略するものとする。
【００３９】
上記構成及び構造において、図９に示す如くスライドカバー１３のロックアーム３６側を第一カバー本体１４の開口部２１に差し込み、また、この後にスライドカバー１３の前方側壁３４をスライドカバーガイド１８に差し込み、そして、ヒンジ１９を支点としてスライドカバー押さえ部２０を閉じると、スライドカバー１３に係る組み付けが完了する。スライドカバー１３は、図１０に示す如く摘み部３７を矢印Ｐ方向に移動させるようにしてスライドカバー１３をスライド移動させると、これに伴って前方側壁３４が上方へ移動する（前方側壁３４は初期位置から上方へ移動する）。一方、摘み部３７を矢印Ｑ方向に移動させるようにしてスライドカバー１３をスライド移動させると、前方側壁３４は元の初期位置に戻る。
【００４０】
図３において、前方側壁３４が初期位置から上方へ移動すると、この時、開閉軌跡８上に膨出壁７の一部が存在しないようになる。従って、第一カバー９の開閉の際に膨出壁７との干渉が避けられるようになる。また、前方側壁３４が初期位置から上方へ移動すると、この時、ロックアーム３６がヒューズユニット６の係止対象位置から外れる。従って、第一カバー９の開閉の際に係止突起４２（図８参照）が削れることはない。ロックアーム３６は、前方側壁３４が初期位置に戻ると（図２参照）、ヒューズユニット６の係止対象位置へと移動する。
【００４１】
尚、膨出壁７が存在しないバッテリーに対して本発明のバッテリーカバー１を用いる場合、第一カバー９を上記同様に作用させればよいものとする。
【００４２】
以上、図１ないし図１０を参照しながら説明してきたように、本発明によれば、絶縁性能を損なうことのない汎用性の高いバッテリーカバー１を提供することができるという効果を奏する。また、本発明によれば、係止突起４２の削れを生じないようにすることができ、結果、ガタ付きや異音の発生を防止することができるという効果を奏する。
【００４３】
本発明は本発明の主旨を変えない範囲で種々変更実施可能なことは勿論である。
【符号の説明】
【００４４】
１…バッテリーカバー
２…バッテリー
３…上面
４…バッテリーポスト
５…バッテリーターミナル（保護対象部品）
６…ヒューズユニット（保護対象部品）
７…膨出壁
８…開閉軌跡
９…第一カバー
１０…ヒンジ
１１…第二カバー
１２…バッテリーカバー本体
１３…スライドカバー
１４…第一カバー本体
１５…上壁
１６…左方側壁
１７…右方側壁
１８…スライドカバーガイド
１９…ヒンジ
２０…スライドカバー押さえ部
２１…開口部
２２…突き当て部
２３…凹み
２４…係止部
２５…ガイド用水平リブ
２６、２７…端部
２８…ガイド外壁
２９…ガイド用垂直リブ
３０…係止突起
３１…係止ロック
３２…端部
３３…レバー部
３４…前方側壁
３５…連結部
３６…ロックアーム
３７…摘み部
３８…初期位置係止ロック穴
３９…スライド位置係止ロック穴
４０…低背突条
４１…アーム形成部
４２…係止突起
【図１】
2011076993.tif 000003
【図２】
2011076993.tif 000004
【図３】
2011076993.tif 000005
【図４】
2011076993.tif 000006
【図５】
2011076993.tif 000007
【図６】
2011076993.tif 000008
【図７】
2011076993.tif 000009
【図８】
2011076993.tif 000010
【図９】
2011076993.tif 000011
【図１０】
2011076993.tif 000012
【図１１】
2011076993.tif 000013